(57)【特許請求の範囲】
【請求項１】
ユーザ装置(UE)によるアップリンク送信のための方法であって、
サウンディング参照信号(SRS)リソース指示情報と複数の電力制御パラメータとの間の関連付けの情報を取得するステップであり、前記複数の電力制御パラメータは、物理アップリンク共有チャネル(PUSCH)初期ターゲット電力と、パスロスと、パスロス補償係数と、送信電力コマンド(TPC)とを含む、ステップと、
前記SRSリソース指示情報を取得するステップと、
前記関連付け及び前記取得されたSRSリソース指示情報に基づいて、前記PUSCH初期ターゲット電力の値と、前記パスロスの値と、前記パスロス補償係数の値と、前記TPCの値とを決定するステップと、
前記PUSCH初期ターゲット電力の前記値と、前記パスロスの前記値と、前記パスロス補償係数の前記値と、前記TPCの前記値とに従って、PUSCHの送信電力を決定するステップと、
前記送信電力を使用して前記PUSCHを送信するステップと
を含む方法。
【請求項２】
前記複数の電力制御パラメータは、ダウンリンク参照信号タイプに関連付けられ、
前記PUSCH初期ターゲット電力の前記値と、前記パスロスの前記値と、前記パスロス補償係数の前記値と、前記TPCの前記値とは、前記複数の電力制御パラメータと前記ダウンリンク参照信号タイプとの間の関連付けに更に基づいて決定される、請求項１に記載の方法。
【請求項３】
前記ダウンリンク参照信号タイプは、レイヤ3測定のための同期信号又はレイヤ3測定のためのUE固有の参照信号のうち1つを含む、請求項２に記載の方法。
【請求項４】
前記複数の電力制御パラメータは、リソース割り当てタイプに関連付けられ、
前記PUSCH初期ターゲット電力の前記値と、前記パスロスの前記値と、前記パスロス補償係数の前記値と、前記TPCの前記値とは、前記複数の電力制御パラメータと前記リソース割り当てタイプとの間の関連付けに更に基づいて決定される、請求項１乃至３のうちいずれか１項に記載の方法。
【請求項５】
前記リソース割り当てタイプは、
ダウンリンク制御情報(DCI)のみに基づくリソース割り当て、
無線リソース制御(RRC)シグナリング若しくはシステム情報のうち少なくとも1つと共にDCIに基づくリソース割り当て、又は
前記RRCシグナリング若しくは前記システム情報のみに基づくリソース割り当て
のうち1つを含む、請求項４に記載の方法。
【請求項６】
前記複数の電力制御パラメータは、前記PUSCHのためのヌメロロジー構成に関連付けられ、
前記PUSCH初期ターゲット電力の前記値と、前記パスロスの前記値と、前記パスロス補償係数の前記値と、前記TPCの前記値とは、前記複数の電力制御パラメータと前記ヌメロロジー構成との間の関連付けに更に基づいて決定される、請求項１乃至５のうちいずれか１項に記載の方法。
【請求項７】
前記複数の電力制御パラメータは、ダウンリンク制御情報(DCI)に関する情報に関連付けられ、
前記PUSCH初期ターゲット電力の前記値と、前記パスロスの前記値と、前記パスロス補償係数の前記値と、前記TPCの前記値とは、前記複数の電力制御パラメータと前記DCIに関する情報との間の関連付けに更に基づいて決定される、請求項１乃至６のうちいずれか１項に記載の方法。
【請求項８】
前記DCIに関する情報は、DCIフォーマット又はDCI構造のうち少なくとも1つを含む、請求項７に記載の方法。
【請求項９】
命令を含む非一時的なメモリと、
前記非一時的なメモリと通信する1つ以上のプロセッサと
を含む装置であって、
前記1つ以上のプロセッサは、前記命令を実行し、請求項１乃至８のうちいずれか１項に記載の方法を実行するように構成される、装置。
【請求項１０】
記録されたプログラムを有するコンピュータ読み取り可能記憶媒体であって、
前記プログラムは、コンピュータに請求項１乃至８のうちいずれか１項に記載の方法を実行させる、コンピュータ読み取り可能記憶媒体。
【請求項１１】
ユーザ装置(UE)によるアップリンク送信のための方法であって、
サウンディング参照信号(SRS)送信のためのヌメロロジー情報を取得するステップであり、前記SRS送信のための前記ヌメロロジー情報は、複数の電力制御パラメータに関連付けられ、前記複数の電力制御パラメータは、SRS初期ターゲット電力と、パスロスと、パスロス補償係数と、送信電力コマンド(TPC)とを含む、ステップと、
前記SRS送信のための前記ヌメロロジー情報に関連付けられた無線リソース制御(RRC)構成に従って、前記SRS初期ターゲット電力の値と、前記パスロスの値と、前記パスロス補償係数の値とを決定するステップと、
前記SRS送信のためのSRSリソース指示に従って、物理アップリンク共有チャネル(PUSCH)のためのTPCから前記SRS送信のための前記TPCの値を決定するステップと、
前記SRS初期ターゲット電力の前記値と、前記パスロスの前記値と、前記パスロス補償係数の前記値と、前記TPCの前記値とに従って、SRSの送信電力を決定するステップと、
前記送信電力を使用して前記SRSを送信するステップと
を含む方法。
【請求項１２】
前記SRS初期ターゲット電力と、前記パスロスと、前記パスロス補償係数とは、前記SRS送信のためのリソース情報に関連付けられる、請求項１１に記載の方法。
【請求項１３】
前記SRS送信のための前記TPCの前記値を決定するステップは、
前記SRSリソース指示情報と前記PUSCHのための前記TPCとの間の関連付けの情報を取得するステップと、
前記SRSリソース指示情報を取得するステップと、
前記関連付け及び前記取得されたSRSリソース指示情報に基づいて、前記PUSCHのための前記TPCの値を決定するステップと、
前記PUSCHのための前記TPCの前記値に従って、前記SRS送信のための前記TPCの前記値を決定するステップと
を含む、請求項１１又は１２に記載の方法。
【請求項１４】
前記複数の電力制御パラメータは、パスロス推定のためのダウンリンク参照信号タイプに関連付けられる、請求項１１乃至１３のうちいずれか１項に記載の方法。
【請求項１５】
前記ダウンリンク参照信号タイプは、
レイヤ3測定のための同期信号又は
レイヤ3測定のためのUE固有の参照信号
のうち少なくとも1つを含む、請求項１４に記載の方法。
【請求項１６】
命令を含む非一時的なメモリと、
前記メモリと通信する1つ以上のプロセッサと
を含む装置であって、
前記1つ以上のプロセッサは、前記命令を実行し、請求項１１乃至１５のうちいずれか１項に記載の方法を実行するように構成される、装置。
【請求項１７】
記録されたプログラムを有するコンピュータ読み取り可能記憶媒体であって、
前記プログラムは、コンピュータに請求項１１乃至１５のうちいずれか１項に記載の方法を実行させる、コンピュータ読み取り可能記憶媒体。
【発明の詳細な説明】
【技術分野】
【０００１】
［技術分野］
本開示は、概して無線通信に関し、特定の実施形態では、アップリンク送信のための電力制御のためのシステム及び方法に関する。
【背景技術】
【０００２】
ロングタームエボリューション(Long  Term  Evolution,  LTE)ネットワークでは、各セルは、典型的には、固有のセル識別子(identifier,  ID)に関連付けられた1つの送信/受信ポイント(transmit/receive  point,  TRP)によりサービス提供される。出現しつつある新無線(New  Radio,  NR)システムでは、各NRセルは、同じセルIDを使用する複数のTRPを含んでもよい。NRセルは、LTEセルよりもはるかに広いエリアをカバーしてもよい。NRシステムは、グラントフリー(grant-free)送信、マルチビーム通信、マルチヌメロロジー(multi-numerology)送信、マルチ波形送信、複数参照信号及び他の特徴をサポートできる。グラントフリー物理アップリンク共有チャネル(Physical  Uplink  Shared  Channel,  PUSCH)送信は、グラントのスケジューリングはないが無線リソース制御(Radio  Resource  Control,  RRC)接続のある(例えば、RRC接続状態)PUSCHを含むことができ、或いは、グラントのスケジューリングもRRC接続もない(例えば、アイドル状態又はRRC_INACTIVE状態)PUSCHを含むことができる。
【０００３】
LTEでは、PUSCHのための送信電力は、PUSCHリソース割り当ての帯域幅と、セル固有の参照信号(cell-specific  reference  signal,  CRS)に基づいてUEにおいて計算されたダウンリンクパスロス推定と、パスロスのための補償係数と、変調及び符号化方式(modulation  and  coding  scheme,  MCS)に関する動的割り当てパラメータと、電力オフセットを調整するための動的割り当て内の送信電力コマンド(Transmit  Power  Command,  TPC)とを含むいくつかのパラメータに基づいてユーザ装置(user  equipment,  UE)により導出できる。PUSCHのための送信電力を決定する際に使用される他のファクタは、PUSCH初期ターゲット電力であり、これは、PUSCHタイプに依存して異なる値を有することができる。第1のタイプでは、PUSCHは、動的ダウンリンク割り当て又はグラントでスケジューリングされ、セル固有のコンポーネント(例えば、初期ターゲット電力1)は、ブロードキャストチャネル(例えば、システム情報ブロック(System  Information  Block,  SIB))から提供され、UE固有のコンポーネント(例えば、初期ターゲット電力2)は、専用チャネル(例えば、RRC)により提供される。第2のタイプでは、PUSCHは、動的ダウンリンク割り当て又はグラントなしで半永続的にスケジューリングされ、2つのUE固有のパラメータ(例えば、初期ターゲット電力1及び初期ターゲット電力2)は、専用チャネル(例えば、RRC)により提供される場合に使用される。そうでない場合、セル固有のコンポーネント(例えば、初期ターゲット電力1)はブロードキャストチャネル(例えば、SIB)から提供され、UE固有のコンポーネント(例えば、初期ターゲット電力2)は専用チャネル(例えば、RRC)により提供される。第3のPUSCHタイプは、ランダムアクセス応答グラントに対応する。グラントを構成するパラメータは、ブロードキャストチャネル(例えば、SIB)から提供される可能性がある。異なる電力制御は、異なるセル内のサウンディング参照信号(Sounding  Reference  Signal,  SRS)に使用されてもよく、SRSのための電力制御は、PUSCHに使用されるものに関係してもよく或いは関係しなくてもよい。
【発明の概要】
【０００４】
本開示の実施形態によれば、UEによるアップリンク送信のための方法は、複数の電力制御パラメータをそれぞれ有する複数の電力制御セットに関する情報を取得するステップであり、第1の電力制御セット内の少なくとも1つのパラメータの値は、第2の電力制御セット内の少なくとも1つのパラメータの値とは異なる、ステップと、電力制御セットのうち少なくとも1つをUEの少なくとも1つの動作特性に関連付ける情報を取得するステップと、動作特性のうち少なくとも1つがUEに対して有効であるとき、有効な少なくとも1つの動作特性に関連付けられた電力制御セットのパラメータを使用して、PUSCHを送信するステップとを含む。少なくとも1つの動作特性は、PUSCHのためのリソース割り当てタイプ、PUSCHのためのヌメロロジー構成、スケジューリング時間単位長、DCIに関する情報、関連付けられたSRSリソースインデックス又はパスロス推定のためのDL  RSタイプのうち少なくとも1つに関連付けられた特性でもよい。
【０００５】
本開示の他の実施形態によれば、UEによるアップリンク送信のための方法は、複数の電力制御パラメータをそれぞれ有する複数の電力制御セットに関する情報を取得するステップであり、第1の電力制御セット内の少なくとも1つのパラメータの値は、第2の電力制御セット内の少なくとも1つのパラメータの値とは異なる、ステップと、電力制御セットのうち少なくとも1つをUEの少なくとも1つの動作特性に関連付ける情報を取得するステップと、動作特性のうち少なくとも1つがUEに対して有効であるとき、有効な少なくとも1つの動作特性に関連付けられた電力制御セットのパラメータを使用して、SRSを送信するステップとを含む。少なくとも1つの動作特性は、リソース情報、ヌメロロジー情報又はパスロス推定のためのDL  RSタイプのうち少なくとも1つに関連付けられた特性でもよい。
【０００６】
本開示の他の実施形態によれば、UEによるアップリンク送信のための方法は、複数の電力制御パラメータをそれぞれ有する複数の電力制御セットに関する情報を取得するステップであり、第1の電力制御セット内の少なくとも1つのパラメータの値は、第2の電力制御セット内の少なくとも1つのパラメータの値とは異なる、ステップと、電力制御セットのうち少なくとも1つをUEの少なくとも1つの動作特性に関連付ける情報を取得するステップと、動作特性のうち少なくとも1つがUEに対して有効であるとき、有効な少なくとも1つの動作特性に関連付けられた電力制御セットのパラメータを使用して、信号を送信するステップとを含む。
【０００７】
一態様によれば、ユーザ装置(UE)によるアップリンク送信のための方法は、第1の電力制御セットに従って第1の物理アップリンク共有チャネル(PUSCH)を送信するステップを含み、第1の電力制御セットは、第1のUE固有のPUSCH初期ターゲット電力と、第1のパスロスと、第1のパスロス補償係数と、第1の送信電力コマンドとを含み、第1の電力制御セットは、第1の動作特性のセットに基づいて決定され、第1の動作特性のセットは、第1のPUSCHのための第1のリソース割り当てタイプ、第1のPUSCHのための第1のヌメロロジー構成、第1のスケジューリング時間単位長、第1のダウンリンク情報(downlink  control  information,  DCI)に関する情報、第1のサウンディング参照信号(sounding  reference  signal,  SRS)リソースインデックス又はパスロス推定のための第1のダウンリンク(downlink,  DL)参照信号(reference  signal,  RS)タイプのうち少なくとも1つを含む。
【０００８】
任意選択で、上記の実施形態のいずれかにおいて、当該方法は、第2の電力制御セットに従って第2のPUSCHを送信するステップを更に含み、第2の電力制御セットは、第2のUE固有のPUSCH初期ターゲット電力と、第2のパスロスと、第2のパスロス補償係数と、第2の送信電力コマンドとを含み、第2の電力制御セットは、第2の動作特性のセットに基づいて決定され、第2の動作特性のセットは、第2のPUSCHのための第2のリソース割り当てタイプ、第2のPUSCHのための第2のヌメロロジー構成、第2のスケジューリング時間単位長、第2のDCIに関する情報、第2のSRSリソースインデックス又はパスロス推定のための第2のDL  RSタイプのうち少なくとも1つを含む。
【０００９】
任意選択で、上記の実施形態のいずれかにおいて、第1の電力制御セットを第1の動作特性のセットに関連付ける情報及び第2の電力制御セットを第2の動作特性のセットに関連付ける情報は、事前の定義、ブロードキャストシグナリング又はネットワークからの専用シグナリングのうち少なくとも1つにより取得される。
【００１０】
任意選択で、上記の実施形態のいずれかにおいて、第1の電力制御セットは、第1の電力制御セット及び第2の電力制御セットの双方のためにシステム情報により構成されたセル固有のPUSCH初期ターゲット電力を更に含む。
【００１１】
任意選択で、上記の実施形態のいずれかにおいて、第1の電力制御セット及び第2の電力制御セットは、UE固有のPUSCH初期ターゲット電力、パスロス、パスロス補償係数及び送信電力コマンドのうち少なくとも1つに基づいて異なる。
【００１２】
任意選択で、上記の実施形態のいずれかにおいて、第1の電力制御セットのための第1のUE固有のPUSCH初期ターゲット電力及び第2の電力制御セットのための第2のUE固有のPUSCH初期ターゲット電力は、RRCシグナリングにより第1の値及び第2の値で構成される。
【００１３】
任意選択で、上記の実施形態のいずれかにおいて、第1の電力制御セットのための第1のUE固有のPUSCH初期ターゲット電力及び第2の電力制御セットのための第2のUE固有のPUSCH初期ターゲット電力は、RRCシグナリングにより共通の値で構成される。
【００１４】
任意選択で、上記の実施形態のいずれかにおいて、第1の電力制御セットのための第1のパスロス及び第2の電力制御セットのための第2のパスロスは、第1のDL  RSタイプ及び第2のDL  RSタイプで、或いは、RRCシグナリングにより第1のDL  RSタイプ及び第2のDL  RSタイプのうち1つを使用する共通のRSタイプで推定されるように構成される。
【００１５】
任意選択で、上記の実施形態のいずれかにおいて、第1又は第2のDL  RSタイプは、レイヤ3測定のための同期信号、又はレイヤ3測定のためのUE固有のRSである。
【００１６】
任意選択で、上記の実施形態のいずれかにおいて、第1の電力制御セットのための第1のパスロス補償係数及び第2の電力制御セットのための第2のパスロス補償係数は、RRCシグナリングにより、第1の値及び第2の値で、或いは、共通の値で構成される。
【００１７】
任意選択で、上記の実施形態のいずれかにおいて、第1の電力制御セットのための第1の送信電力コマンド及び第2の電力制御セットのための第2の送信電力コマンドは、RRCシグナリングにより、2つの送信電力コマンド又は1つの共通の送信電力コマンドであるように構成される。
【００１８】
任意選択で、上記の実施形態のいずれかにおいて、第1又は第2のPUSCHのための第1又は第2のリソース割り当てタイプは、DCIのみに基づくリソース割り当て、RRCシグナリング若しくはシステム情報のうち少なくとも1つと共にDCIに基づくリソース割り当て、又はRRCシグナリング若しくはシステム情報のうち少なくとも1つのみに基づくリソース割り当てのうち少なくとも1つである。
【００１９】
任意選択で、上記の実施形態のいずれかにおいて、第1又は第2のスケジューリング時間単位長は、複数の直交周波数分割多重(orthogonal  frequency  division  multiplexing,  OFDM)シンボル、ミニスロット、スロット又はスロットグループのうち少なくとも1つである。
【００２０】
任意選択で、上記の実施形態のいずれかにおいて、第1又は第2のDCIに関する情報は、DCIフォーマット又はDCI構造のうち少なくとも1つである。
【００２１】
任意選択で、上記の実施形態のいずれかにおいて、UEは、異なるスケジューリング時間単位長に関連付けられた複数のPUSCH送信のための複数の電力ヘッドルームを計算し、スケジューリング時間単位長は、複数のOFDMシンボル、ミニスロット、スロット、スロットグループ又は特定のヌメロロジーに関連付けられたOFDMシンボル時間長のうち少なくとも1つである。
【００２２】
任意選択で、上記の実施形態のいずれかにおいて、UEが第1のスケジューリング時間単位長に関連付けられたPUSCHを送信することに応じて、UEは、第1のスケジューリング時間単位長に関連付けられたPUSCHのための電力制御セットパラメータに従って第1の電力ヘッドルームを計算し、UEが第2のスケジューリング時間単位長に関連付けられたPUSCHを送信することに応じて、UEは、第2のスケジューリング時間単位長に関連付けられたPUSCHのための電力制御セットパラメータに従って第2の電力ヘッドルームを計算する。
【００２３】
他の態様によれば、ユーザ装置(UE)によるアップリンク送信のための方法は、第1の電力制御セットに従って第1のサウンディング参照信号(SRS)を送信するステップを含み、第1の電力制御セットは、第1のUE固有のSRS初期ターゲット電力と、第1のパスロスと、第1のパスロス補償係数と、第1の送信電力コマンドとを含み、第1の電力制御セットは、第1の動作特性のセットに基づいて決定され、第1の動作特性のセットは、第1のSRSのための第1のリソース情報、第1のSRSのための第1のヌメロロジー情報又はパスロス推定のための第1のダウンリンク(DL)参照信号(RS)タイプのうち少なくとも1つを含む。
【００２４】
任意選択で、上記の実施形態のいずれかにおいて、当該方法は、第2の電力制御セットに従って第2のSRSを送信するステップを更に含み、第2の電力制御セットは、第2のUE固有のSRS初期ターゲット電力と、第2のパスロスと、第2のパスロス補償係数と、第2の送信電力コマンドとを含み、第2の電力制御セットは、第2の動作特性のセットに基づいて決定され、第2の動作特性のセットは、第2のSRSのための第2のリソース情報、第2のSRSのための第2のヌメロロジー情報又はパスロス推定のための第2のダウンリンク(DL)参照信号(RS)タイプのうち少なくとも1つを含む。
【００２５】
任意選択で、上記の実施形態のいずれかにおいて、第1の送信電力コマンドは、無線リソース制御(RRC)シグナリングにより、関連付けられた第1の物理アップリンク共有チャネル(PUSCH)のための第1の送信電力コマンドから部分的に導出されたSRSのための第1の電力制御セットで構成され、第2の送信電力コマンドは、RRCシグナリングにより、関連付けられた第2のPUSCHのための第2の送信電力コマンドから部分的に導出されたSRSのための第2の電力制御セットで構成される。
【００２６】
任意選択で、上記の実施形態のいずれかにおいて、当該方法は、第1のリソース情報での第1のSRS及び第2のリソース情報での第2のSRSの双方に関連付けられた第3の電力制御セットを更に含む。
【００２７】
任意選択で、上記の実施形態のいずれかにおいて、第3の電力制御セットのための送信電力コマンドは、RRCシグナリングにより、第1又は第2のリソース情報に関連付けられたPUSCHのための第1又は第2の送信電力コマンドから導出されるように構成される。
【００２８】
任意選択で、上記の実施形態のいずれかにおいて、第3の電力制御セットは、第1の電力制御セット及び第2の電力制御セットの双方とは異なり且つRRCシグナリングで構成された、UE固有のSRS初期ターゲット電力、パスロス、パスロス補償係数及び送信電力コマンドのうち1つ以上を更に含む。
【００２９】
任意選択で、上記の実施形態のいずれかにおいて、第1又は第2のリソース情報は、SRS送信のための構成されたリソースインデックス又はダウンリンクチャネル状態情報参照信号(Channel  State  Information  Reference  Signal,  CSI-RS)を有する擬似コロケーション(Quasi-Co-Location,  QCL)情報のうち少なくとも1つである。
【００３０】
任意選択で、上記の実施形態のいずれかにおいて、第1又は第2のヌメロロジー情報は、SRS送信のための構成されたヌメロロジーを含む。
【００３１】
任意選択で、上記の実施形態のいずれかにおいて、第1又は第2のDL  RSタイプは、レイヤ3測定のための同期信号又はレイヤ3測定のためのUE固有のRSのうち少なくとも1つである。
【００３２】
更なる態様によれば、ユーザ装置(UE)によるアップリンク送信のための方法は、1つのUE固有のPUSCH初期ターゲット電力と、1つのパスロスと、1つのパスロス補償係数と、1つの送信電力コマンドとのセットをそれぞれ有する複数の電力制御セットに関する情報を取得するステップであり、第1の電力制御セット及び第2の電力制御セットは、UE固有のPUSCH初期ターゲット電力、パスロス、パスロス補償係数又は送信電力コマンドのうち少なくとも1つに基づいて異なる、ステップと、リソース割り当てタイプ、ヌメロロジー構成、スケジューリング時間単位、DCIに関する情報、サウンディング参照信号(SRS)リソースインデックス又はパスロス推定のためのDL  RSタイプのうち少なくとも1つをそれぞれ有する複数の動作特性のセットに関する情報を取得するステップと、複数の電力制御セットを複数の動作特性のセットに関連付ける情報を取得するステップと、動作特性の1つのセットがUEに対して有効であることに応じて、有効な動作特性の1つのセットに関連付けられた電力制御セットを使用して物理アップリンク共有チャネルを送信するステップとを含む。
【００３３】
更なる態様によれば、ユーザ装置(UE)によるアップリンク送信のための方法は、1つのUE固有のSRS初期ターゲット電力と、1つのパスロスと、1つのパスロス補償係数と、1つの送信電力コマンドとのセットをそれぞれ有する複数の電力制御セットに関する情報を取得するステップであり、第1の電力制御セット及び第2の電力制御セットは、UE固有のSRS初期ターゲット電力、パスロス、パスロス補償係数又は送信電力コマンドのうち少なくとも1つに基づいて異なる、ステップと、リソース情報、ヌメロロジー情報又はパスロス推定のためのダウンリンク(DL)参照信号(RS)タイプのうち少なくとも1つをそれぞれ有する複数の動作特性のセットに関する情報を取得するステップと、複数の電力制御セットを複数の動作特性のセットに関連付ける情報を取得するステップと、動作特性の1つのセットがUEに対して有効であることに応じて、有効な動作特性の1つのセットに関連付けられた電力制御セットを使用してサウンディング参照信号を送信するステップとを含む。
【図面の簡単な説明】
【００３４】
本開示及びその利点をより完全に理解するために、ここで、添付図面と共に行われる以下の説明に参照が行われる。
【図１】いくつかの実施形態による、ネットワークの図である。
【図２】いくつかの実施形態による、PUSCHのための電力制御の図である。
【図３】いくつかの実施形態による、リソース割り当てタイプとの関連付けに基づいて選択されたPUSCHのための電力制御の図である。
【図４】いくつかの実施形態による、制御リソースセットとの関連付けに基づいて選択されたPUSCHのための電力制御の図である。
【図５】いくつかの実施形態による、スケジューリング時間単位長との関連付けに基づいて選択されたPUSCHのための電力制御の図である。
【図６Ａ】いくつかの実施形態による、複数のRNTIとの関連付けに基づいて選択されたPUSCHのための電力制御の図である。
【図６Ｂ】いくつかの実施形態による、DCIフォーマットとの関連付けに基づいて選択されたPUSCHのための電力制御の図である。
【図７】いくつかの実施形態による、波形タイプとの関連付けに基づいて選択されたPUSCHのための電力制御の図である。
【図８】いくつかの実施形態による、パスロスに関連する参照信号タイプに基づいて選択されたPUSCHのための電力制御の図である。
【図９】いくつかの実施形態による、電力ヘッドルーム報告単位の図である。
【図１０Ａ】いくつかの実施形態による、SRSのための電力制御の図である。
【図１０Ｂ】いくつかの実施形態による、SRSのための電力制御の他の図である。
【図１１】いくつかの実施形態による、ヌメロロジーとの関連付けに基づいて選択されたSRSのための電力制御の図である。
【図１２】いくつかの実施形態による、スケジューリング単位長との関連付けに基づいて選択されたSRSのための電力制御の図である。
【図１３】いくつかの実施形態による、波形タイプとの関連付けに基づいて選択されたSRSのための電力制御の図である。
【図１４】いくつかの実施形態による、パスロスに関連する参照信号タイプに基づいて選択されたSRSのための電力制御の図である。
【図１５】実施形態の処理システムのブロック図である。
【図１６】トランシーバのブロック図である。
【図１７】送信受信ポイントを動作させるためのフロー図である。
【図１８】ユーザ装置によるアップリンク送信のためのフロー図である。
【図１９】ユーザ装置によるアップリンク送信のためのフロー図である。
【図２０】ユーザ装置によるアップリンク送信のための方法を示す。
【発明を実施するための形態】
【００３５】
この開示の実施形態の作成及び使用は、以下に詳細に議論される。しかし、ここに開示される概念は、様々な特定の状況において具現でき、ここで議論される特定の実施形態は、単なる例示であり、特許請求の範囲を限定する役目をしないことが認識されるべきである。さらに、添付の特許請求の範囲により定義されるこの開示の真意及び範囲から逸脱することなく、様々な変形、置換及び変更がここで行われることができることが理解されるべきである。
【００３６】
図１は、データを通信するためのネットワーク100の図である。ネットワーク100は、カバレッジエリア101を有する基地局110と、複数のモバイルデバイス120と、バックホールネットワーク130とを含む。図示のように、基地局110は、モバイルデバイス120とのアップリンク接続140及びダウンリンク接続150を確立し、これらは、モバイルデバイス120から基地局110に、且つその逆にデータを搬送する役目をする。アップリンク接続140及びダウンリンク接続150上で搬送されるデータは、モバイルデバイス120の間で通信されるデータと、バックホールネットワーク130によって遠隔端(図示せず)に且つ遠隔端から通信されるデータとを含んでもよい。ここで使用される「基地局」という用語は、進化型NodeB(evolved  NodeB,  eNB)、マクロセル、フェムトセル、Wi-Fiアクセスポイント(access  point,  AP)又は他の無線可能なデバイスのように、ネットワークへの無線アクセスを提供するように構成されたいずれかの構成要素又は構成要素の集合を示してもよい。基地局は、NR、LTE、LTEアドバンスト(Advanced,  LTE-A)、高速パケットアクセス(High  Speed  Packet  Access,  HSPA)又はWi-Fi  802.11a/b/g/n/acのような1つ以上の無線通信プロトコルに従って無線アクセスを提供してもよい。ここで使用される「ユーザ装置」(UE)という用語は、移動局(mobile  station,  STA)又は他の無線可能なデバイスのように、基地局との無線接続を確立できるいずれかの構成要素又は構成要素の集合を示してもよい。いくつかの実施形態では、ネットワーク100は、中継器又は低電力ノードのような様々な他の無線デバイスを含んでもよい。
【００３７】
将来のNR無線ネットワークは、PUSCH、SRS及び物理アップリンク制御チャネル(Physical  Uplink  Control  Channel,  PUCCH)のような異なるデータチャネル又は参照信号の送信のために別個の電力制御プロセスをサポートする可能性があることが考えられる。ビームフォーミングを使用するNRシステムでは、NR規格は、ビーム固有の電力制御をサポートする可能性がある。NR規格は、ヌメロロジー固有及び/又は波形固有の電力制御をサポートする可能性がある。ヌメロロジーは、物理レイヤパラメータの集合を示し、いくつかの場合には、サブキャリア間隔及びサイクリックプレフィックス(Cyclic  Prefix,  CP)長を具体的に示す可能性があり、波形は、直交周波数分割多重(OFDM)又は離散フーリエ変換拡散OFDM(Discrete  Fourier  Transform  Spread  OFDM,  DFT-S-OFDM)とすることができる。将来のNR無線ネットワークは、他の物理特性又はパラメータ(例えば、ヌメロロジー、無線ネットワーク一時識別子(radio  network  temporary  identifier,  RNTI)等)に関連付けられる可能性があるトラフィック固有のケースをサポートする可能性があると更に考えられる。これら及び他の理由のため、改善されたアップリンク電力制御方式がNRシステムでの使用のために必要とされる可能性がある。
【００３８】
本開示は、NRシステムにおけるPUSCH及びSRSのための電力制御に関する実施形態を提供する。特定の実施形態では、電力制御パラメータの異なる値を有する複数の電力制御セットが、UEに利用可能にされる。UEは、電力制御セットのそれぞれをUEの動作に関する1つ以上の特性に関連付ける情報を提供される。提供方式は、事前の定義、ブロードキャストシグナリング及びネットワーク側からの専用シグナリングのうち少なくとも1つでもよい。動作特性の1つ以上がUEに対して有効であるとき、UEは、PUSCH及び/又はSRSを送信するために、動作特性の1つ以上に関連付けられた電力制御セットを使用する。トラフィック固有の電力制御セットは、RNTIのような1つ以上の特定の物理レイヤ識別子に関連付けられてもよい。さらに、電力制御セットは、ヌメロロジー又はPUSCHのためのスケジューリング時間単位長のような1つ以上のリソース単位固有のパラメータに関連付けられてもよい。さらに、SRS特有の電力制御セットは、プリコーディング及び/又はビームフォーミングを使用してもよく或いは使用しなくてもよく、異なるプリコーディング及び/又はビームフォーミング選択をサポートしてもよく、複数のヌメロロジーをサポートしてもよい。さらに、PUSCH及び/又はSRSについて、特定の電力制御セットは、波形タイプ及び/又はパスロスに関連する参照信号タイプに関連付けられてもよい。
【００３９】
ここで、PUSCHのための電力制御が検討される。実施形態では、UEは、異なるPUSCH送信のための少なくとも2つの別個の電力制御パラメータセットが提供される。セット内の電力制御パラメータは、セル固有のPUSCH初期ターゲット電力、UEグループ固有のPUSCH初期ターゲット電力、UE固有のPUSCH初期ターゲット電力、パスロス、パスロス補償係数及び/又は別個の送信電力コマンド(Transmit  Power  Command,  TPC)のうち少なくとも1つを含んでもよい。UEは、選択された電力制御セットの、UEに関連付けられた1つ以上の特性との予め構成された関連付けに基づいて、PUSCH送信のための電力制御セットのうち1つを選択する。PUSCH送信について、UEに関連付けられた特性は、リソース割り当てに関連する特性、物理ダウンリンク制御チャネル(Physical  Downlink  Control  Channel,  PDCCH)のための制御リソースセット、PUSCHのためのスケジューリング単位長、ダウンリンク制御情報(DCI)に関する情報、PUSCHのための波形タイプ及び/又はパスロス推定のためのダウンリンク(DL)参照信号(RS)タイプのうち少なくとも1つを含んでもよい。
【００４０】
図２は、いくつかのPUSCHに関するケースをまとめたものである。この図面及び以降の同様の図面では、周波数は縦軸に表され、時間は横軸に表される。破線210及び220は、異なるヌメロロジーを区別する。水平の破線210の上では、より小さいサブキャリア間隔及びより長い時間単位が使用され、水平の破線210の下では、より大きいサブキャリア間隔及びより短い時間単位が使用されることが認識できる。垂直の破線220の左では、異なるNR-PDCCHが存在する。各NR-PDCCHは、1つのリソースセットで構成され、各リソースセットは、1つの特定のヌメロロジーで構成されてもよい。すなわち、ヌメロロジーは、NR-PDCCHチャネル及びリソースセットに関連付けられてもよい。垂直の破線220の右では、トラフィックは、PUSCH超高信頼性及び低遅延通信(Ultra-Reliable  and  Latency  Communications,  URLLC)及びPUSCH拡張モバイルブロードバンド(Enhanced  Mobile  Broadband,  eMBB)として区別されてもよい。異なるタイプのトラフィックは、異なるヌメロロジー及び異なる時間単位長に関連付けられてもよい。代替として、異なるヌメロロジーは、同じタイプのトラフィックに使用されてもよい。
【００４１】
実施形態では、上記のように、UEは、選択された電力制御セットの、リソース割り当てタイプとの予め構成された関連付けに基づいて、PUSCH送信のための電力制御セットを選択してもよい。事前の構成方式は、事前の定義、ブロードキャストシグナリング及びネットワーク側からの専用シグナリングのうち少なくとも1つでもよい。リソース割り当てタイプは、DCIのみに基づくリソース割り当てでもよく、RRC及び/又はシステム情報と共にDCIに基づくリソース割り当てでもよく、或いは、RRC及び/又はシステム情報のみに基づくリソース割り当てでもよい。後者の場合、UEによるDCI検出は存在しない。リソース割り当てタイプの1つは、第1の電力制御セットに関連付けられてもよく、リソース割り当てタイプの他のものは、第2の電力制御セットに関連付けられてもよい。第1の例として、UEは、DCIのみに基づいてPUSCHリソース割り当てを決定するとき、第1の電力制御セットを使用し、RRC及び/又はシステム情報のみに基づいてPUSCHリソース割り当てを決定するとき、第2の電力制御セットを使用してもよい。第2の例として、第1の電力制御セットのパスロス補償係数は、RRCシグナリングにより構成されてもよく、第2の電力制御セットのパスロス補償係数は、固定されてもよい。第3の例として、第1の電力制御セットのパスロスは、L3測定及び/又はL1/L2測定のためのUE固有のDL  RSに基づいて推定されてもよく、第2の電力制御セットのパスロスは、L3測定のための同期信号のみに基づいて推定されてもよい。
【００４２】
図３は、PUSCH送信のための電力制御セットがリソース割り当てタイプとの関連付けに基づいて選択される実施形態を示す。第1の関連付け310では、第1のDCI312と共にRRC及び/又はSIBは、第1のPUSCH314に関連付けられる。第2の関連付け320では、第2のDCI322は、第2のPUSCH324に関連付けられる。第3の関連付け330では、RRC及び/又はSIBのみ332が第3のPUSCH334に関連付けられ、DCIは使用されない。PUSCH314、324及び334は、リソース割り当てタイプに関連付けられた電力制御セットで送信される。
【００４３】
実施形態では、上記のように、UEは、選択された電力制御セットの、PUSCH割り当てのための制御リソースセットとの予め構成された関連付けに基づいて、PUSCH送信のための電力制御セットを選択してもよい。事前の構成方式は、事前の定義、ブロードキャストシグナリング及びネットワーク側からの専用シグナリングのうち少なくとも1つでもよい。制御リソースセットは、制御リソースセットインデックス及び/又は制御リソースセットに関連するヌメロロジーに関連付けられてもよい。制御リソースセットの1つは、第1の電力制御セットに関連付けられてもよく、制御リソースセットの他のものは、第2の電力制御セットに関連付けられてもよい。第1の例として、UEが第1のインデックス及び/又は第1のヌメロロジーに関連付けられた制御リソースセットからPUSCHのためのDCIを検出した場合、第1の電力制御セットは、PUSCH電力制御に使用されてもよい。第2の電力制御セットは、UEが、他のインデックス及び/又は他のヌメロロジーに関連付けられた制御リソースセットからPUSCHのためのDCIを検出したときに使用されてもよい。第2の例として、第1の電力制御セットのための第1のセル固有のPUSCH初期ターゲット電力及び第2の電力制御セットのための第2のセル固有のPUSCH初期ターゲット電力は、システム情報により構成されてもよい。第3の例として、第1の電力制御セットのための第1のUE固有のPUSCH初期ターゲット電力及び第2の電力制御セットのための第2のUE固有のPUSCH初期ターゲット電力は、RRCシグナリングにより構成されてもよい。第4の例として、第1の電力制御セットのための第1のパスロス補償係数は、固定されてもよく、或いは、RRCシグナリングにより構成されてもよく、第2の電力制御セットのための第2のパスロス補償係数は、RRCシグナリングにより構成されてもよい。第5の例として、第1のTPCは、第1の電力制御セットに使用されてもよく、第2のTPCは、第2の電力制御セットに使用されてもよい。
【００４４】
図４は、PUSCH送信のための電力制御セットが制御リソースセットとの関連付けに基づいて選択される実施形態を示す。第1のヌメロロジーを有する第1の制御リソースセット410は、第1のPUSCH送信430に使用され、第2のヌメロロジーを有する第2の制御リソースセット420は、第2のPUSCH送信440に使用される。異なるトラフィックは、異なるヌメロロジーに関連付けられてもよい。アップリンクグラントは、制御リソースセット及び特定のヌメロロジーに関連付けられてもよい。PUSCH430及び440は、制御リソースセット410及び420に関連付けられた電力制御セットで送信される。
【００４５】
実施形態では、上記のように、UEは、選択された電力制御セットの、PUSCHのためのスケジューリング時間単位長との予め構成された関連付けに基づいて、PUSCH送信のための電力制御セットを選択してもよい。事前の構成方式は、事前の定義、ブロードキャストシグナリング及びネットワーク側からの専用シグナリングのうち少なくとも1つでもよい。PUSCH送信のためのスケジューリング時間単位長は、複数のOFDMシンボル、ミニスロット、スロット及び/又はスロットグループでもよい。スケジューリング時間単位の1つは、第1の電力制御セットに関連付けられてもよく、スケジューリング時間単位の他のものは、第2の電力制御セットに関連付けられてもよい。第1の例として、UEがPUSCHのためのDCIから2つのOFDMシンボルを有するスケジューリング時間単位長を検出した場合、第1の電力制御セットは、PUSCH電力制御に使用されてもよい。第2の電力制御セットは、UEがDCIから7つのOFDMシンボルを有する他のスケジューリング時間単位長を検出したときに使用されてもよい。第2の例として、第1の電力制御セットのための第1のセル固有のPUSCH初期ターゲット電力及び第2の電力制御セットのための第2のセル固有のPUSCH初期ターゲット電力は、システム情報により構成されてもよい。第3の例として、第1の電力制御セット及び第2の電力制御セットの双方のための共通のセル固有のPUSCH初期ターゲット電力は、システム情報により構成されてもよい。第4の例として、第1の電力制御セットのための第1のUE固有のPUSCH初期ターゲット電力及び第2の電力制御セットのための第2のUE固有のPUSCH初期ターゲット電力は、RRCシグナリングにより構成されてもよい。第5の例として、第1の電力制御セットのための第1のパスロス補償係数は、固定されてもよく、或いは、RRCシグナリングにより構成されてもよく、第2の電力制御セットのための第2のパスロス補償係数は、RRCシグナリングにより構成されてもよい。第6の例として、第1のTPCは、第1の電力制御セットに使用されてもよく、第2のTPCは、第2の電力制御セットに使用されてもよい。
【００４６】
図５は、PUSCH送信のための電力制御セットがスケジューリング時間単位長との関連付けに基づいて選択される実施形態を示す。第1のスケジューリング単位長510は、第1のPUSCH530に関連付けられ、第2のスケジューリング単位長520は、第2のPUSCH540に関連付けられる。PUSCH530及び540は、スケジューリング時間単位長510及び520に関連付けられた電力制御セットで送信される。
【００４７】
実施形態では、上記のように、UEは、選択された電力制御セットの、DCIに関する情報との予め構成された関連付けに基づいて、PUSCH送信のための電力制御セットを選択してもよい。事前の構成方式は、事前の定義、ブロードキャストシグナリング及びネットワーク側からの専用シグナリングのうち少なくとも1つでもよい。PUSCH送信のためのDCIに関する情報は、DCIマスクのための関連付けられたRNTIでもよく、及び/又は、DCIフォーマット又は構造でもよい。いくつかのDCIに関する情報は、第1の電力制御セットに関連付けられてもよく、他のDCIに関する情報は、第2の電力制御セットに関連付けられてもよい。第1の例として、1つより多くのRNTIで予め構成されたUEが、第1のRNTIでマスクされたPUSCHのためのDCIを検出した場合、第1の電力制御セットは、PUSCH電力制御に使用されてもよい。第2の電力制御セットは、UEが第2のRNTIでDCIを検出したときに使用されてもよい。第2の例として、1つより多くのDCIフォーマットで予め構成されたUEが、第1のフォーマットでPUSCHのためのDCIを検出した場合、第1の電力制御セットは、PUSCH電力制御に使用されてもよい。第2の電力制御セットは、UEが第2のフォーマットでDCIを検出したときに使用されてもよい。第3の例として、第1の電力制御セットのための第1のセル固有のPUSCH初期ターゲット電力及び第2の電力制御セットのための第2のセル固有のPUSCH初期ターゲット電力は、システム情報により構成されてもよい。第4の例として、第1の電力制御セット及び第2の電力制御セットの双方のための共通のセル固有のPUSCH初期ターゲット電力は、システム情報により構成されてもよい。第5の例として、第1の電力制御セットのための第1のUE固有のPUSCH初期ターゲット電力及び第2の電力制御セットのための第2のUE固有のPUSCH初期ターゲット電力は、RRCシグナリングにより構成されてもよい。第6の例として、第1の電力制御セットのための第1のパスロス補償係数は、固定されてもよく、或いは、RRCシグナリングにより構成されてもよく、第2の電力制御セットのための第2のパスロス補償係数は、RRCシグナリングにより構成されてもよい。第7の例として、第1のTPCは、第1の電力制御セットに使用されてもよく、第2のTPCは、第2の電力制御セットに使用されてもよい。
【００４８】
図６Ａは、PUSCH送信のための電力制御セットがDCIに関する情報との関連付けに基づいて選択される実施形態を示す。この場合、DCIに関する情報は、複数のRNTIである。第1のRNTI610は、第1のPUSCH630に関連付けられ、第2のRNTI620は、第2のPUSCH640に関連付けられる。PUSCH630及び640は、RNTI610及び620に関連付けられた電力制御セットで送信される。
【００４９】
図６Ｂは、PUSCH送信のための電力制御セットがDCIに関する情報との関連付けに基づいて選択される他の実施形態を示す。この場合、DCIに関する情報は、DCIフォーマットである。第1のDCIフォーマット650は、第1のPUSCH670に関連付けられ、第2のDCIフォーマット660は、第2のPUSCH680に関連付けられる。PUSCH670及び680は、DCIフォーマット650及び660に関連付けられた電力制御セットで送信される。
【００５０】
実施形態では、上記のように、UEは、選択された電力制御セットの、PUSCHのための波形タイプとの予め構成された関連付けに基づいて、PUSCH送信のための電力制御セットを選択してもよい。事前の構成方式は、事前の定義、ブロードキャストシグナリング及びネットワーク側からの専用シグナリングのうち少なくとも1つでもよい。PUSCH送信のための波形タイプは、OFDMでもよく、或いは、DFT-S-OFDMでもよい。1つの波形は、第1の電力制御セットに関連付けられてよく、他の波形は、第2の電力制御セットに関連付けられてもよい。第1の例として、UEがPUSCHのためにOFDMで構成された場合、第1の電力制御セットは、PUSCH電力制御に使用されてもよい。第2の電力制御セットは、UEがDFT-S-OFDMで構成されたときに使用されてもよい。第2の例として、第1の電力制御セットのための第1のセル固有のPUSCH初期ターゲット電力及び第2の電力制御セットのための第2のセル固有のPUSCH初期ターゲット電力は、システム情報により構成されてもよい。第3の例として、第1の電力制御セット及び第2の電力制御セットの双方のための共通のセル固有のPUSCH初期ターゲット電力は、システム情報により構成されてもよい。第4の例として、第1の電力制御セットのための第1のUE固有のPUSCH初期ターゲット電力及び第2の電力制御セットのための第2のUE固有のPUSCH初期ターゲット電力は、RRCシグナリングにより構成されてもよい。第5の例として、第1の電力制御セットのための第1のパスロス補償係数は、RRCシグナリングにより構成されてもよく、第2の電力制御セットのための第2のパスロス補償係数は、固定されてもよく、或いは、RRCシグナリングにより構成されてもよい。第6の例として、第1のTPCは、第1の電力制御セットに使用されてもよく、第2のTPCは、第2の電力制御セットに使用されてもよい。
【００５１】
図７は、PUSCH送信のための電力制御セットが波形タイプとの関連付けに基づいて選択される実施形態を示す。710において、OFDM波形は、第1のPUSCHに関連付けられ、720において、DFT-S-OFDM波形は、第2のPUSCHに関連付けられる。
【００５２】
実施形態では、上記のように、UEは、選択された電力制御セットの、パスロス推定のためのDL  RSタイプとの予め構成された関連付けに基づいて、PUSCH送信のための電力制御セットを選択してもよい。事前の構成方式は、事前の定義、ブロードキャストシグナリング及びネットワーク側からの専用シグナリングのうち少なくとも1つでもよい。パスロス推定のためのDL  RSタイプは、レイヤ3測定のための同期信号及びレイヤ3測定のためのUE固有のRSの双方でもよく、或いは、レイヤ3測定のためのUE固有のRS及びレイヤ1及び/又はレイヤ2測定のためのUE固有のRSの双方でもよく、レイヤ3測定のための同期信号と、レイヤ3測定のためのUE固有のRSと、レイヤ1及び/又はレイヤ2測定のためのUE固有のRSとを含んでもよい。パスロス推定のためのDL  RSタイプは、第1の電力制御セットに関連付けられてもよく、パスロス推定のための他のDL  RSタイプは、第2の電力制御セットに関連付けられてもよい。例えば、UEが、同期信号のL3参照信号受信電力(Reference  Signal  Received  Power,  RSRP)とUE固有のチャネル状態情報参照信号(CSI-RS)のL3  RSRPとの双方に基づいてパスロスを推定するように構成されたとき、第1の電力制御セットは、PUSCH電力制御のために使用されてもよい。第2の電力制御セットは、UEが、UE固有のCSI-RSのL3  RSRPとUE固有のCSI-RSのL1  RSRPとの双方に基づいて、或いは、UE固有のCSI-RSのL3  RSRPとUE固有のCSI-RSのL3  RSRPとUE固有のCSI-RSのL1  RSRPとに基づいて、パスロスを推定するように構成されたときに使用されてもよい。
【００５３】
図８は、PUSCH送信のための電力制御セットがパスロス推定のためのDL  RSタイプとの関連付けに基づいて選択される実施形態を示す。第1の参照信号タイプに関連付けられたパスロス810は、第1のPUSCH820に関連付けられ、第2の参照信号タイプに関連付けられたパスロス830は、第2のPUSCH840に関連付けられる。
【００５４】
実施形態では、UEは、異なるスケジューリング時間単位長に関連付けられた複数のPUSCH送信のための複数の電力ヘッドルームを計算する。スケジューリング時間単位長は、複数のOFDMシンボル、ミニスロット、スロット、スロットグループ及び/又は特定のヌメロロジーに関連付けられたOFDMシンボル時間長でもよい。UEは、異なる時間単位長又は異なるヌメロロジーに関連付けられた異なる電力ヘッドルーム報告を生成してもよい。UEが第1のスケジューリング時間単位長に関連付けられた第1のPUSCHを送信する場合、第1の電力ヘッドルームは、第1のPUSCHのための電力制御セットパラメータに基づいて計算されてもよい。UEが第2のスケジューリング時間単位長に関連付けられた第2のPUSCHを送信する場合、第2の電力ヘッドルームは、第2のPUSCHのための電力制御セットパラメータに基づいて計算されてもよい。
【００５５】
図９は、異なる電力ヘッドルーム報告単位の実施形態を示す。第1のヌメロロジー910については、第1の電力ヘッドルーム報告のための時間単位はスロット930であり、第3の電力ヘッドルーム報告のための時間単位はミニスロット940であり、第4の電力ヘッドルーム報告のための時間単位はシンボルセット950である。第2のヌメロロジー920については、第2の電力ヘッドルーム報告のための時間単位はスロット960である。第2のヌメロロジー920についてのスロット960は、第1のヌメロロジー910についてのスロット930とは異なるサイズを有してもよい。
【００５６】
一般的に、PUSCHについて、電力制御に関するパラメータ{P0_1(セル固有の電力とUE固有の電力との和),  Alpha_1(パスロス補償係数),  PL_1(パスロス),  f_1(送信電力コマンド)}は、{BWP1(帯域幅部分)又はヌメロロジー1、リソース割り当て1、DCI_Info1、SRI1(SRSリソースインデックス)及びDL  RSタイプ1}のうち1つ又は組み合わせと共にPUSCH1に使用され、電力制御に関するパラメータ{P0_2,  Alpha_2,  PL_2,  f_2}を有する第2のセットは、{BWP2又はヌメロロジー2、リソース割り当て2、DCI_Info2、SRI2及びDL  RSタイプ2}のうち1つ又は組み合わせと共にPUSCH2に使用される。Alpha_1及びAlpha_2は同じでもよい。
【００５７】
ここで、SRSのための電力制御が検討される。実施形態では、UEは、異なるSRS送信のための少なくとも2つの別個の電力制御パラメータセットが提供される。セット内の電力制御パラメータは、セル固有のPUSCH初期ターゲット電力、UEグループ固有のPUSCH初期ターゲット電力、UE固有のPUSCH初期ターゲット電力、UE固有のSRS初期ターゲット電力、パスロス、パスロス補償係数及び/又は別個のTPCのうち少なくとも1つを含んでもよい。UEは、選択された電力制御セットの、UEに関連付けられた1つ以上の特性との予め構成された関連付けに基づいて、SRS送信のための電力制御セットのうち1つを選択する。SRS送信について、UEに関連付けられた特性は、ビームフォーミング及び/又はプリコーディングシナリオで使用されるビームフォーミング及び/又はプリコーディングに関する情報のようなリソース情報、ヌメロロジー情報、関連付けられたPUSCHのためのスケジューリング時間長、SRSのための波形タイプ及び/又はパスロス推定のためのDL  RSタイプを含んでもよい。
【００５８】
実施形態では、UEは、選択された電力制御セットの、SRS送信のためのリソース情報との予め構成された関連付けに基づいて、SRS送信のための電力制御セットを選択する。事前の構成方式は、事前の定義、ブロードキャストシグナリング及びネットワーク側からの専用シグナリングのうち少なくとも1つでもよい。リソース情報は、SRS送信のための構成されたリソースインデックス(すなわち、SRSリソースインデックス(SRS  resource  index,  SRI))でもよく、或いは、ダウンリンクCSI-RSを有する擬似コロケーション(QCL)情報でもよく、及び/又は、パネル又はビーム対リンク(beam  pair  link,  BPL)インデックスでもよい。UEは、ビームフォーミングあり又はなしで、プリコーディングあり又はなしで、SRSを送信してもよい。ビームフォーミング及び/又はプリコーディングが使用されるとき、ビーム固有及び/又はプリコーディング電力制御が使用されてもよく、リソース情報は、ビームフォーミング及び/又はプリコーディングがSRS送信に使用されるか否かをUEに示してもよい。さらに、リソース情報はまた、送信ビーム選択を含んでもよく、これは、ネットワーク指示に基づいてもよく、或いは、UEによりトリガされてもよい。リソース情報の第1の部分は、第1の電力制御セットに関連付けられてもよく、リソース情報の第2の部分は、第2の電力制御セットに関連付けられてもよい。第1の例として、ビーム対リンク測定のためのSRS送信のために複数のリソースインデックスで構成され且つリソース固有の電力制御で構成されたUEは、第1のリソースインデックスで送信されるSRSのために第1の電力制御セットを使用し、第2のリソースインデックスで送信されるSRSのために第2の電力制御セットを使用してもよい。第2の例として、ビーム対リンク測定のためのSRS送信のために複数のリソースインデックスで構成され且つリソース共通の電力制御で構成されたUEは、異なるリソースインデックスで送信されるSRSのために第3の電力制御セットを使用してもよい。第3の例として、UEは、プリコーディング及び/又はビームフォーミングで構成されていないとき、SRSのために第3の電力制御セットを使用してもよく、プリコーディング及び/又はビームフォーミングで構成されたとき、SRSのために第1又は第2の電力制御セットを使用してもよい。第4の例として、UEは、プリコーディング及び/又はビームフォーミング選択情報で構成されていないとき、SRSのために第3の電力制御セットを使用してもよく、プリコーディング及び/又はビームフォーミング選択情報で構成されたとき、SRSのために第1又は第2の電力制御セットを使用してもよい。構成方式は、事前の定義、ブロードキャストシグナリング及びネットワーク側からの専用シグナリングのうち少なくとも1つでもよい。
【００５９】
SRSのための第1の電力制御セットは、リソース情報の第1の部分に関連付けられた第1のPUSCHのための電力制御セットから部分的に導出されてもよく、SRSのための第2の電力制御セットは、リソース情報の第2の部分に関連付けられた第2のPUSCHのための電力制御セットから部分的に導出されてもよい。例えば、SRSのための第1の電力制御セットは、第1のセル固有のPUSCH初期ターゲット電力、第1のUEグループ固有のPUSCH初期ターゲット電力、第1のUE固有のPUSCH初期ターゲット電力、第1のパスロス、第1のパスロス補償係数及び第1のPUSCHのための第1の送信電力コマンドのうち少なくとも1つから導出されてもよい。SRSのための第2の電力制御セットは、第2のセル固有のPUSCH初期ターゲット電力、第2のUEグループ固有のPUSCH初期ターゲット電力、第2のUE固有のPUSCH初期ターゲット電力、第2のパスロス、第2のパスロス補償係数及び第2のPUSCHのための第2の送信電力コマンドのうち少なくとも1つから導出されてもよい。SRSのための第3の電力制御セットは、リソース情報の第1及び/又は第2の部分と同じでもよく或いは同じでなくてもよい参照リソース情報に関連付けられたPUSCHのための電力制御セット、及び/又は、PUSCHに関連付けられていない別個の電力制御セットから部分的に導出されてもよい。第1の例として、SRSのための第3の電力制御セットのためのUE固有のSRS初期ターゲット電力は、関連付けられた第1のPUSCHのための第1のセル固有のPUSCH初期ターゲット電力及び第1のUE固有のPUSCH初期ターゲット電力のうち少なくとも1つから、或いは関連付けられた第2のPUSCHのための第2のセル固有のPUSCH初期ターゲット電力及び第2のUE固有のPUSCH初期ターゲット電力のうち少なくとも1つから導出されてもよい。第2の例として、SRSのための第3の電力制御セットのためのUE固有のSRS固有の初期ターゲット電力は、RRCシグナリングにより独立して構成されてもよい。第3の例として、SRSのための第3の電力制御セットのためのパスロスは、関連付けられた第1のPUSCHのための第1のパスロス及び関連付けられた第2のPUSCHのための第2のパスロスのうち1つから導出されてもよい。第4の例として、SRSのための第3の電力制御セットのためのパスロスは、関連付けられた第1のPUSCHのための第1のパスロス及び関連付けられた第2のPUSCHのための第2のパスロスの双方から導出されてもよい。第5の例として、SRSのための第3の電力制御セットのためのパスロス補償係数は、関連付けられた第1のPUSCHのための第1のパスロス補償係数及び関連付けられた第2のPUSCHのための第2のパスロス補償係数のうち1つと同じでもよい。第6の例として、SRSのための第3の電力制御セットのためのパスロス補償係数は、固定されてもよく、或いは、RRCシグナリングにより独立して構成されてもよい。第7の例として、SRSのための第3の電力制御セットのための送信電力コマンドは、関連付けられた第1のPUSCHのための第1の送信電力コマンド及び関連付けられた第2のPUSCHのための第2の送信電力コマンドのうち1つから導出されてもよい。第8の例として、SRSのための第3の電力制御セットのための送信電力コマンドは、関連付けられた第1のPUSCHのための第1の送信電力コマンド及び関連付けられた第2のPUSCHのための第2の送信電力コマンドの双方から導出されてもよい。
【００６０】
図１０Ａは、UEにより送信されるビームの中で、SRSを搬送する第1のビーム1010がPUSCHを搬送する第1のビーム1030に関連付けられ、SRSを搬送する第2のビーム1020がPUSCHを搬送する第2のビーム1040に関連付けられるビームフォーミングシナリオの実施形態を示す。図１０Ｂは、UEにより送信されるビームの中で、SRSを搬送する第1のビーム1010及びSRSを搬送する第2のビーム1020の双方がPUSCHを搬送する第1のビーム1030に関連付けられるビームフォーミングシナリオの実施形態を示す。
【００６１】
実施形態では、UEが選択された電力制御セットの、SRS送信のためのヌメロロジー情報との予め構成された関連付けに基づいて、SRS送信のための電力制御セットを選択する場合、ヌメロロジー情報は、SRS送信のための構成されたヌメロロジー及び/又はSRS送信をトリガするためのDCIが監視され得る制御リソースセットのための構成されたヌメロロジーでもよい。ヌメロロジー情報がSRS送信のための構成されたヌメロロジーである場合、構成方式は、動的な指示及び/又はRRC構成に基づいてもよい。ヌメロロジー情報の第1の部分は、第1の電力制御セットに関連付けられてもよく、ヌメロロジー情報の第2の部分は、第2の電力制御セットに関連付けられてもよい。SRSのための第1の電力制御セットは、ヌメロロジー情報の第1の部分に関連付けられたPUSCHのための電力制御セットから部分的に導出されてもよい。SRSのための第2の電力制御セットは、ヌメロロジー情報の第2の部分に関連付けられたPUSCHのための電力制御セットから部分的に導出されてもよい。第1の例として、SRS送信のための異なるヌメロロジーを有する複数のリソースセットで構成されたUEは、第1のヌメロロジーで送信されるSRSのために第1の電力制御セットを使用し、第2のヌメロロジーで送信されるSRSのために第2の電力制御セットを使用してもよい。第2の例として、SRS送信のための異なるヌメロロジーを有する複数の制御リソースセットで構成されたUEは、第1の制御リソースセットから検出されたDCIによりトリガされたSRS送信のために第1の電力制御セットを使用し、第2の制御リソースセットから検出されたDCIによりトリガされたSRS送信のために第2の電力制御セットを使用してもよい。
【００６２】
図１１は、SRS送信のための電力制御セットが、ヌメロロジー情報との関連付けに基づいて選択される実施形態を示す。第1のヌメロロジーを有する第1のリソースセット1110は、第1のSRS送信1130をトリガする指示シグナリングを含み、第2のヌメロロジーを有する第2のリソースセット1120は、第2のSRS送信1140をトリガする指示シグナリングを含む。UEが第1のPUSCH1150においてSRS送信トリガシグナリングを検出した場合、UEは、第1の電力制御セットを使用する。UEが第2のPUSCH1160においてSRS送信トリガシグナリングを検出した場合、UEは、第2の電力制御セットを使用する。
【００６３】
実施形態では、UEは、選択された電力制御セットの、関連付けられたPUSCHのためのスケジューリング時間単位長との予め構成された関連付けに基づいて、SRS送信のための電力制御セットを選択する。事前の構成方式は、事前の定義、ブロードキャストシグナリング及びネットワーク側からの専用シグナリングのうち少なくとも1つでもよい。関連付けられたPUSCH送信のためのスケジューリング時間単位長は、複数のOFDMシンボル、ミニスロット、スロット及び/又はスロットグループでもよい。第1のスケジューリング時間単位長を有するPUSCHに関連付けられた第1のSRSは、第1の電力制御セットに関連付けられてもよく、第2のスケジューリング時間単位長を有するPUSCHに関連付けられた第2のSRSは、第2の電力制御セットに関連付けられてもよい。第1のSRSのための第1の電力制御セットは、第1のスケジューリング時間単位長に関連付けられたPUSCHのための電力制御セットから部分的に導出されてもよい。第2のSRSのための第2の電力制御セットは、第2のスケジューリング時間単位長に関連付けられたPUSCHのための電力制御セットから部分的に導出されてもよい。PUSCHスケジューリング時間単位長との関連付けは、PUSCH割り当て及びSRSトリガをサポートするRRC構成及び/又はDCIに基づいて提供されてもよい。例えば、複数のPUSCHスケジューリング時間単位長で構成されたUEは、第1のスケジューリング時間単位長で検出されたDCIによりトリガされたSRS送信のために第1の電力制御セットを使用してもよく、第2のスケジューリング時間単位長で検出されたDCIによりトリガされたSRS送信のために第2の電力制御セットを使用してもよい。
【００６４】
図１２は、SRS送信のための電力制御セットがスケジューリング時間単位長との関連付けに基づいて選択される実施形態を示す。第1のスケジューリング単位長1210は、第1のPUSCH12530に関連付けられ、第2のスケジューリング単位長1220は、第2のPUSCH1240に関連付けられる。第1のPUSCH1230は、第1のSRS1250に関連付けられ、第2のPUSCH1240は、第2のSRS1260に関連付けられる。
【００６５】
実施形態では、UEは、選択された電力制御セットの、SRSのための波形タイプとの予め構成された関連付けに基づいて、SRS送信のための電力制御セットを選択する。事前の構成方式は、事前の定義、ブロードキャストシグナリング及びネットワーク側からの専用シグナリングのうち少なくとも1つでもよい。SRS送信のための波形タイプは、OFDMでもよく、或いは、DFT-S-OFDMでもよい。第1の波形タイプに関連付けられた第1のSRSは、第1の電力制御セットに関連付けられてよく、第2の波形タイプに関連付けられた第2のSRSは、第2の電力制御セットに関連付けられてもよい。第1の例として、波形タイプで構成されたUEは、OFDMでのSRS送信に第1の電力制御セットを使用してもよく、DFT-S-OFDMでのSRS送信に第2の電力制御セットを使用してもよい。第2の例として、複数のパスロス補償係数で構成されたUEは、第1の波形タイプで送信されるSRSに第1のパスロス補償係数を使用してもよく、第2の波形タイプで送信されるSRSに第2のパスロス補償係数を使用してもよい。
【００６６】
図１３は、SRS送信のための電力制御セットがSRSのための波形タイプとの関連付けに基づいて選択される実施形態を示す。1310において、OFDM波形は、第1のSRSに関連付けられ、1320において、DFT-S-OFDM波形は、第2のSRSに関連付けられる。
【００６７】
実施形態では、UEは、選択された電力制御セットの、パスロス推定のためのDL  RSタイプとの予め構成された関連付けに基づいて、SRS送信のための電力制御セットを選択する。事前の構成方式は、事前の定義、ブロードキャストシグナリング及びネットワーク側からの専用シグナリングのうち少なくとも1つでもよい。パスロス推定のためのDL  RSタイプは、レイヤ3測定のための同期信号及びレイヤ3測定のためのUE固有のRSの双方でもよく、或いは、レイヤ3測定のためのUE固有のRS及びレイヤ1及び/又はレイヤ2測定のためのUE固有のRSの双方でもよく、レイヤ3測定のための同期信号と、レイヤ3測定のためのUE固有のRSと、レイヤ1及び/又はレイヤ2測定のためのUE固有のRSとを含んでもよい。パスロス推定のためのDL  RSタイプは、第1の電力制御セットに関連付けられてもよく、パスロス推定のための他のDL  RSタイプは、第2の電力制御セットに関連付けられてもよい。例えば、UEが、同期信号のL3  RSRPとUE固有のCSI-RSのL3  RSRPとの双方に基づいてパスロスを推定するように構成されたとき、第1の電力制御セットは、PUSCH電力制御のために使用されてもよい。第2の電力制御セットは、UEが、UE固有のCSI-RSのL3  RSRPとUE固有のCSI-RSのL1  RSRPとの双方に基づいて、或いは、UE固有のCSI-RSのL3  RSRPとUE固有のCSI-RSのL3  RSRPとUE固有のCSI-RSのL1  RSRPとに基づいて、パスロスを推定するように構成されたときに使用されてもよい。
【００６８】
図１４は、SRS送信のための電力制御セットがパスロス推定のためのDL  RSタイプに基づいて選択される実施形態を示す。第1の参照信号タイプに関連付けられたパスロス1410は、第1のSRS1420に関連付けられ、第2の参照信号タイプに関連付けられたパスロス1430は、第2のSRS1440に関連付けられる。
【００６９】
図１５は、ホストデバイスに導入されてもよい、ここに記載の方法を実行するための実施形態の処理システム1500のブロック図を示す。図示のように、処理システム1500は、プロセッサ1504と、メモリ1506と、インタフェース1510〜1514とを含み、これらは、図面に示されるように配置されてもよい(或いは配置されなくてもよい)。プロセッサ1504は、計算及び/又は他の処理に関するタスクを実行するように適合されたいずれかの構成要素又は構成要素の集合でもよく、メモリ1506は、プロセッサ1504による実行のためのプログラミング及び/又は命令を記憶するように適合されたいずれかの構成要素又は構成要素の集合でもよい。実施形態では、メモリ1506は、非一時的なコンピュータ読み取り可能媒体を含む。インタフェース1510、1512、1514は、処理システム1500が他のデバイス/構成要素及び/又はユーザと通信することを可能にするいずれかの構成要素又は構成要素の集合でもよい。例えば、インタフェース1510、1512、1514のうち1つ以上は、プロセッサ1504からのデータ、制御又は管理メッセージを、ホストデバイス及び/又は遠隔デバイスにインストールされたアプリケーションに通信するように適合されてもよい。他の例として、インタフェース1510、1512、1514のうち1つ以上は、ユーザ又はユーザデバイス(例えば、パーソナルコンピュータ(personal  computer,  PC)等)が処理システム1500と相互作用/通信することを可能にするように適合されてもよい。処理システム1500は、長期記憶(例えば、不揮発性メモリ等)のように、図面に示されていない更なる構成要素を含んでもよい。
【００７０】
いくつかの実施形態では、処理システム1500は、電気通信ネットワークにアクセスするか、或いは、そうでない場合にはその一部であるネットワークデバイスに含まれる。一例では、処理システム1500は、基地局、中継局、スケジューラ、コントローラ、ゲートウェイ、ルータ、アプリケーションサーバ又は電気通信ネットワーク内のいずれかの他のデバイスのような、無線又は有線電気通信ネットワーク内のネットワーク側デバイス内にある。他の実施形態では、処理システム1500は、移動局、ユーザ装置(UE)、パーソナルコンピュータ(PC)、タブレット、ウェアラブル通信デバイス(例えば、スマートウォッチ等)又は電気通信ネットワークにアクセスするように適合されたいずれかの他のデバイスのような、無線又は有線電気通信ネットワークにアクセスするユーザ側デバイス内にある。
【００７１】
いくつかの実施形態では、インタフェース1510、1512、1514のうち1つ以上は、電気通信ネットワーク上でシグナリングを送信及び受信するように適合されたトランシーバに処理システム1500を接続する。図１６は、電気通信ネットワーク上でシグナリングを送信及び受信するように適合されたトランシーバ1600のブロック図を示す。トランシーバ1600は、ホストデバイスに導入されてもよい。図示のように、トランシーバ1600は、ネットワーク側インタフェース1602と、カプラ1604と、送信機1606と、受信機1608と、信号プロセッサ1610と、デバイス側インタフェース1612とを含む。ネットワーク側インタフェース1602は、無線又は有線電気通信ネットワーク上でシグナリングを送信又は受信するように適合されたいずれかの構成要素又は構成要素の集合を含んでもよい。カプラ1604は、ネットワーク側インタフェース1602上の双方向通信を容易にするように適合されたいずれかの構成要素又は構成要素の集合を含んでもよい。送信機1606は、ベースバンド信号を、ネットワーク側インタフェース1602上の送信に適した変調キャリア信号に変換するように適合されたいずれかの構成要素又は構成要素の集合(例えば、アップコンバータ、電力増幅器等)を含んでもよい。受信機1608は、ネットワーク側インタフェース1602上で受信したキャリア信号をベースバンド信号に変換するように適合されたいずれかの構成要素又は構成要素の集合(例えば、ダウンコンバータ、低雑音増幅器等)を含んでもよい。信号プロセッサ1610は、ベースバンド信号を、デバイス側インタフェース1612上の通信に適したデータ信号に変換し、或いはその逆も行うように適合されたいずれかの構成要素又は構成要素の集合を含んでもよい。デバイス側インタフェース1612は、信号プロセッサ1610とホストデバイス内の構成要素(例えば、処理システム1500、ローカルエリアネットワーク(local  area  network,  LAN)ポート等)との間でデータ信号を通信するように適合されたいずれかの構成要素又は構成要素の集合を含んでもよい。
【００７２】
トランシーバ1600は、いずれかのタイプの通信媒体上でシグナリングを送信及び受信してもよい。いくつかの実施形態では、トランシーバ1600は、無線媒体上でシグナリングを送信及び受信する。例えば、トランシーバ1600は、セルラプロトコル(例えば、ロングタームエボリューション(long  term  evolution,  LTE)等)、無線ローカルエリアネットワーク(wireless  local  area  network,  WLAN)プロトコル(例えば、Wi-Fi等)又はいずれかの他のタイプの無線プロトコル(例えば、ブルートゥース、近距離通信(near  field  communication,  NFC)等)のような無線電気通信プロトコルに従って通信するように適合された無線トランシーバでもよい。このような実施形態では、ネットワーク側インタフェース1602は、1つ以上のアンテナ/放射素子を含む。例えば、ネットワーク側インタフェース1602は、単一のアンテナ、複数の別個のアンテナ、又はマルチレイヤ通信、例えば、シングルインプット・マルチプルアウトプット(single  input  multiple  output,  SIMO)、マルチプルインプット・シングルアウトプット(multiple  input  single  output,  MISO)、マルチプルインプット・マルチプルアウトプット(multiple  input  multiple  output,  MIMO)等のために構成されたマルチアンテナアレイを含んでもよい。他の実施形態では、トランシーバ1600は、有線媒体、例えば、ツイストペアケーブル、同軸ケーブル、光ファイバ等の上でシグナリングを送信及び受信する。特定の処理システム及び/又はトランシーバは、図示の構成要素の全て、又は構成要素のサブセットのみを利用してもよく、統合のレベルは、デバイスによって変化してもよい。
【００７３】
図１７は、TRPを動作させるための方法1700を示す。ブロック1702は、TRPが第1の電力制御セットに従って第1のPUSCHを送信することを含む。第1の電力制御セットは、第1のUE固有のPUSCH初期ターゲット電力、第1のパスロス、第1のパスロス補償係数及び第1の送信電力コマンドを含む。ブロック1704は、第1の電力制御セットが第1の動作特性のセットに基づいて決定されることを示す。第1の動作特性のセットは、第1のPUSCHのための第1のリソース割り当てタイプ、第1のPUSCHのための第1のヌメロロジー構成、第1のスケジューリング時間単位長、第1のDCIに関する情報、第1のSRSリソースインデックス又はパスロス推定のための第1のDL  RSタイプのうち少なくとも1つを含む。
【００７４】
図１８は、UEによるアップリンク送信のための方法1800を示す。ブロック1802は、UEが第1の電力制御セットに従って第1のSRSを送信することを含む。第1の電力制御セットは、第1のUE固有のSRS初期ターゲット電力、第1のパスロス、第1のパスロス補償係数及び第1の送信電力コマンドを含む。ブロック1804は、第1の電力制御セットが第1の動作特性のセットに基づいて決定されることを示す。第1の動作特性のセットは、第1のSRSのための第1のリソース情報、第1のSRSのための第1のヌメロロジー情報又はパスロス推定のための第1のダウンリンク(DL)参照信号(RS)タイプのうち少なくとも1つを含む。
【００７５】
図１９は、UEによるアップリンク送信のための方法1900を示す。ブロック1902は、UEが、1つのUE固有のPUSCH初期ターゲット電力と、1つのパスロスと、1つのパスロス補償係数と、1つの送信電力コマンドとのセットをそれぞれ有する複数の電力制御セットに関する情報を取得することを含む。第1の電力制御セット及び第2の電力制御セットは、UE固有のPUSCH初期ターゲット電力、パスロス、パスロス補償係数又は送信電力コマンドのうち少なくとも1つに基づいて異なる。ブロック1904は、UEが、リソース割り当てタイプ、ヌメロロジー構成、スケジューリング時間単位、DCIに関する情報、SRSリソースインデックス又はパスロス推定のためのDL  RSタイプのうち少なくとも1つをそれぞれ有する複数の動作特性のセットに関する情報を取得することを含む。ブロック1906は、UEが、複数の電力制御セットを複数の動作特性のセットに関連付ける情報を取得することを含む。ブロック1908は、UEが、動作特性の1つのセットがUEに対して有効であることに応じて、有効な動作特性の1つのセットに関連付けられた電力制御セットを使用して物理アップリンク共有チャネルを送信することを含む。
【００７６】
図２０は、UEによるアップリンク送信のための方法2000を示す。ブロック2002は、UEが、1つのUE固有のSRS初期ターゲット電力と、1つのパスロスと、1つのパスロス補償係数と、1つの送信電力コマンドとのセットをそれぞれ有する複数の電力制御セットに関する情報を取得することを含む。第1の電力制御セット及び第2の電力制御セットは、UE固有のSRS初期ターゲット電力、パスロス、パスロス補償係数又は送信電力コマンドのうち少なくとも1つに基づいて異なる。ブロック2004は、UEが、リソース情報、ヌメロロジー情報又はパスロス推定のためのDL  RSタイプのうち少なくとも1つをそれぞれ有する複数の動作特性のセットに関する情報を取得することを含む。ブロック2006は、UEが、複数の電力制御セットを複数の動作特性のセットに関連付ける情報を取得することを含む。ブロック2008は、UEが、動作特性の1つのセットがUEに対して有効であることに応じて、有効な動作特性の1つのセットに関連付けられた電力制御セットを使用してサウンディング参照信号を送信することを含む。
【００７７】
ここで提供される実施形態の方法の1つ以上のステップは、対応するユニット又はモジュールにより実行されてもよいことが認識されるべきである。例えば、信号は送信ユニット又は送信モジュールにより送信されてもよい。信号は、受信ユニット又は受信モジュールにより受信されてもよい。信号は、処理ユニット又は処理モジュールにより処理されてもよい。それぞれのユニット/モジュールは、ハードウェア、ソフトウェア又はこれらの組み合わせでもよい。例えば、ユニット/モジュールのうち1つ以上は、フィールドプログラマブルゲートアレイ(field  programmable  gate  array,  FPGA)又は特定用途向け集積回路(application-specific  integrated  circuit,  ASIC)のような集積回路でもよい。
【００７８】
この開示は、例示的な実施形態を参照して記載されているが、この説明は、限定的な意味で解釈されることを意図するものではない。例示的な実施形態の様々な変更及び組み合わせ並びに開示の他の実施形態は、説明を参照することで当業者に明らかになる。したがって、添付の特許請求の範囲は、いずれかのこのような変更又は実施形態を包含することが意図されている。
【図１】
0006938674.tif 000002
【図２】
0006938674.tif 000003
【図３】
0006938674.tif 000004
【図４】
0006938674.tif 000005
【図５】
0006938674.tif 000006
【図６Ａ】
0006938674.tif 000007
【図６Ｂ】
0006938674.tif 000008
【図７】
0006938674.tif 000009
【図８】
0006938674.tif 000010
【図９】
0006938674.tif 000011
【図１０Ａ】
0006938674.tif 000012
【図１０Ｂ】
0006938674.tif 000013
【図１１】
0006938674.tif 000014
【図１２】
0006938674.tif 000015
【図１３】
0006938674.tif 000016
【図１４】
0006938674.tif 000017
【図１５】
0006938674.tif 000018
【図１６】
0006938674.tif 000019
【図１７】
0006938674.tif 000020
【図１８】
0006938674.tif 000021
【図１９】
0006938674.tif 000022
【図２０】
0006938674.tif 000023